(57)【特許請求の範囲】
【請求項１】
撮像装置に対して回動可能に取り付けられるグリップであって、
前記撮像装置に形成される雄ネジ部と螺合可能な雌ネジ部が形成されるネジ部材と、
前記ネジ部材を回転中心軸方向に付勢する付勢部材と、
前記雌ネジ部の内側に配置され、前記撮像装置に形成される凹凸部と係合可能な凹凸形状を有する係合部材と、
前記係合部材の内側に配置され、前記撮像装置のピンジャックと接続可能なピンプラグと、
を備えることを特徴とするグリップ。
【請求項２】
前記ピンプラグは、前記グリップの内部に収納されるケーブルの先端に形成されることを特徴とする請求項１に記載のグリップ。
【請求項３】
前記係合部材には、前記凹凸形状の内周に内周壁が形成されることを特徴とする請求項１又は２に記載のグリップ。
【請求項４】
第１の連結部を備えた撮像装置と、前記第１の連結部に対して回動可能に取り付けられる第２の連結部を備えたグリップと、を含む撮像システムであって、
前記第１の連結部は、雄ネジ部が形成される第１のネジ部材と、前記第１のネジ部材の内側に配置され、第１の凹凸形状を有する第１の係合部材と、前記第１の係合部材の内側に配置されるピンジャックと、を備え、
前記第２の連結部は、前記撮像装置の前記雄ネジ部と螺合可能な雌ネジ部が形成される第２のネジ部材と、前記第２のネジ部材を回転中心軸方向に付勢する付勢部材と、前記第２のネジ部材の内側に配置され、前記撮像装置の前記第１の凹凸形状と係合可能な第２の凹凸形状を有する第２の係合部材と、前記第２の係合部材の内側に配置され、前記撮像装置の前記ピンジャックと接続可能なピンプラグと、を備え、
前記第１の係合部材と前記第２の係合部材とが係合された状態で、前記雄ネジ部と前記雌ネジ部とが螺合されることを特徴とする撮像システム。
【請求項５】
前記ピンプラグは、前記グリップの内部に収納されるケーブルの先端に形成されることを特徴とする請求項４に記載の撮像システム。
【請求項６】
前記第１および第２の凹凸形状は、複数の凹部及び凸部が交互に等間隔で設けられ、
前記撮像装置の前記第１の凹凸形状と前記グリップの第２の凹凸形状との係合関係を変化させることによって、前記撮像装置と前記グリップとの相対的な位置関係を変化させることを特徴とする請求項５に記載の撮像システム。
【請求項７】
前記第２の係合部材には、前記第２の凹凸形状の内周に内周壁が形成されることを特徴とする請求項４乃至６のいずれか１項に記載の撮像システム。
【発明の詳細な説明】
【技術分野】
【０００１】
本発明は、グリップ及び撮像システムに関する。
【背景技術】
【０００２】
撮像装置を小型にすることで、狭い場所での撮影が可能になり、さらに、装置を固定する器具が小型化できるというメリットがある。このため、撮像装置を三脚に据え付けて撮影を行う場合に不要となるカメラグリップを、撮像装置から取り外し可能な撮像システムが求められている。
【０００３】
特許文献１は、撮影時に撮影者に把持されるカメラ本体に対して回動可能なグリップ部を有するカメラグリップを提案している。
【先行技術文献】
【特許文献】
【０００４】
【特許文献１】特開２００５−１８１７１８号公報
【発明の概要】
【発明が解決しようとする課題】
【０００５】
しかしながら、特許文献１はグリップ部の回動時にグリップ部を任意の角度で固定する構造を持たないため、重量の大きなカメラ本体を把持してグリップ部に大きな回転の力が働いた場合、グリップ部が意図せずに回転してしまう。
【０００６】
そこで、本発明は、複数の角度で固定され、重量の大きなカメラ本体を把持してグリップ部に大きな回転の力が働いた場合、グリップ部が意図せずに回転しないようにすることができる撮像システムを提供することを目的とする。
【課題を解決するための手段】
【０００８】
本発明の一側面としてのグリップは、撮像装置に対して回動可能に取り付けられるグリップであって、前記撮像装置に形成される雄ネジ部と螺合可能な雌ネジ部が形成されるネジ部材と、前記ネジ部材を回転中心軸方向に付勢する付勢部材と、前記雌ネジ部の内側に配置され、前記撮像装置に形成される凹凸部と係合可能な凹凸形状を有する係合部材と、前記係合部材の内側に配置され、前記撮像装置のピンジャックと接続可能なピンプラグと、を備えることを特徴とする。
【０００９】
また、本発明の他の側面としての撮像システムは、第１の連結部を備えた撮像装置と、前記第１の連結部に対して回動可能に取り付けられる第２の連結部を備えたグリップと、を含む撮像システムであって、前記第１の連結部は、雄ネジ部が形成される第１のネジ部材と、前記第１のネジ部材の内側に配置され、第１の凹凸形状を有する第１の係合部材と、前記第１の係合部材の内側に配置されるピンジャックと、を備え、前記第２の連結部は、前記撮像装置の前記雄ネジ部と螺合可能な雌ネジ部が形成される第２のネジ部材と、前記第２のネジ部材を回転中心軸方向に付勢する付勢部材と、前記第２のネジ部材の内側に配置され、前記撮像装置の前記第１の凹凸形状と係合可能な第２の凹凸形状を有する第２の係合部材と、前記第２の係合部材の内側に配置され、前記撮像装置の前記ピンジャックと接続可能なピンプラグと、を備え、前記第１の係合部材と前記第２の係合部材とが係合された状態で、前記雄ネジ部と前記雌ネジ部とが螺合されることを特徴とする。
【発明の効果】
【００１０】
本発明によれば、複数の角度で固定され、重量の大きなカメラ本体を把持してグリップ部に大きな回転の力が働いた場合、グリップ部が意図せずに回転しないようにすることができる。
【図面の簡単な説明】
【００１１】
【図１】本発明の実施例である撮像装置とカメラグリップの斜視図である。
【図２】実施例の撮像装置に対してカメラグリップが回転して取り付いた状態を示す側面図である。
【図３】実施例の撮像装置の一部と撮像装置側連結部との分解斜視図である。
【図４】実施例のカメラグリップの一部とカメラグリップ側連結部との分解斜視図である。
【図５】実施例の撮像装置にカメラグリップが取り付けられていく様子を順次示した連結構造の断面図である。
【発明を実施するための形態】
【００１２】
図１は、本発明の実施例である撮像装置１１０とカメラグリップ２１０の斜視図である。カメラグリップ２１０を撮像装置１１０に対して回動可能に取り付けることによって、撮影者が把持しながら撮影することができる撮像システムとして使用される。
【００１３】
図２は、実施例の撮像装置１１０に対してカメラグリップ２１０が回転して取り付いた状態を示す側面図である。
【００１４】
１００は撮像装置側連結部（第１の連結部）であり、２００はカメラグリップ側連結部（第２の連結部）である。撮像装置側連結部１００とカメラグリップ側連結部２００によって、撮像装置１１０とカメラグリップ２１０は着脱可能となっている。
【００１５】
また、図２で示すように、撮像装置側連結部１００とカメラグリップ側連結部２００によって、回転中心Ｏを中心に、撮像装置１１０に対してカメラグリップ２１０を傾けて取り付けることが可能である。
【００１６】
図２（ａ）は、撮像装置１１０に対してカメラグリップ２１０が正位置で取り付いた状態を示す。図２（ｂ）は、撮像装置１１０に対してカメラグリップ２１０が図２（ａ）に図示する正位置から反時計回りに４５°傾いて取り付いた状態を示す。図２（ｃ）は、撮像装置１１０に対してカメラグリップ２１０が図２（ａ）に図示する正位置から時計回りに４５°傾いて取り付いた状態を示す。
【００１７】
図３は、実施例の撮像装置の一部と撮像装置側連結部との分解斜視図である。図３（ａ）は図１（ａ）と同じ方向から見た分解斜視図であり、図３（ｂ）は図１（ｂ）と同じ方向から見た分解斜視図である。
【００１８】
１１１は、カメラグリップ２１０との電気通信用ピンジャックである。１１２はビス下穴であり、１１３は回転止め凸部である。
【００１９】
１２０は、撮像装置側固定部材（第１のネジ部材）である。撮像装置側固定部材１２０は、後述するカメラグリップ側固定部材と螺合可能である。１２１は雄ネジ部、１２２は回転止め穴、１２３はバカ穴、１２４はバカ穴１２３の周囲に設けた凹部１２４、１２５はカメラグリップ側固定部材との接触面である。これらの構成物品により、撮像装置側固定部材１２０を構成する。
【００２０】
１４０は、撮像装置側固定部材１２０の内側に配置される撮像装置側係合部材（第１の係合部材、撮像装置の凹凸部）である。撮像装置側係合部材１４０は、後述するカメラグリップ側係合部材と係合可能である。１４１、１４２は、それぞれ連続した複数のギア山部とギア谷部であり、１４３は凹凸形状（第１の凹凸形状）である。凹凸形状１４３は、複数のギア山部１４１とギア谷部１４２が交互に等間隔で設けられ、撮像装置側係合部材１４０の外周に形成されている。１４４は回転止め凸部、１４５はビス座、１４６はビス座１４５の裏面に設けた凸部、１４７は電気通信用ピンジャック１１１の開口部である。撮像装置側係合部材１４０は、これらの構成物品によって構成される。
【００２１】
撮像装置側連結部１００は、撮像装置側固定部材１２０及び撮像装置側係合部材１４０により構成される。
【００２２】
１６０は、ビスである。撮像装置側連結部１００の撮像装置１１０に対する組み込みは、撮像装置側固定部材１２０、撮像装置側係合部材１４０、ビス１６０の順に行い、ビス１６０はビス下穴１１２に締結される。
【００２３】
このとき、回転止め穴１２２に、回転止め凸部１１３と回転止め凸部１４４とが係合し、撮像装置側連結部１００が撮像装置１１０に対して回転することを抑制している。
【００２４】
さらに、バカ穴１２３の周囲に設けた凹部１２４と、ビス座１４５の裏面に設けた凸部１４６とが係合する。これにより、撮像装置側係合部材１４０に回転の力が加わっても、回転止め凸部１４４とビス座１４５の裏面に設けた凸部１４６とが複数箇所で撮像装置側固定部材１２０に接するため、回転の力が分散される。結果として、撮像装置側係合部材１４０の変形を防ぎ、また、撮像装置側固定部材１２０に対して撮像装置側係合部材１４０が回転することを抑制することが可能となる。
【００２５】
また、ネジ径が大きいほど撮像装置１１０に対するカメラグリップ２１０の締結力が高まるので、雄ネジ部１２１の径は大きいほど望ましい。また、径を大きくすることで生まれる撮像装置側連結部１００の内部の空間には、電気通信用ピンジャック１１１が設けられている。
【００２６】
図４は、実施例のカメラグリップ２１０の一部とカメラグリップ側連結部２００との分解斜視図である。図４（ａ）は図１（ａ）と同じ方向から見た分解斜視図であり、図４（ｂ）は図１（ｂ）と同じ方向から見た分解斜視図である。
【００２７】
２１１は、電気通信用ピンジャック１１１と接続する電気通信用ピンプラグである。２１２は、電気通信用ピンプラグ２１１を先端に配接したカメラグリップ内部に収納可能な伸縮自在のケーブルである。２１３は、ビス下穴である。２１４は、回転止め凸部である。２１５は、摺動面である。２１６は、バネ突出部係り溝である。
【００２８】
２２０は、カメラグリップ側固定部材（第２のネジ部材）である。カメラグリップ側固定部材２２０は、撮像装置側固定部材１２０と螺合可能である。２２１は雌ネジ部、２２２は指係り部、２２３は摺動面、２２４はバネ係り溝、２２５は回転止め穴、２２６は貫通穴、２２７は貫通穴２２６の周囲に設けた凹部、２２８は撮像装置側固定部材との接触面である。これらの構成物品により、カメラグリップ側固定部材２２０を構成する。
【００２９】
２４０は、カメラグリップ側固定部材２２０の内側に配置されるカメラグリップ側係合部材（第２の係合部材、カメラグリップの凹凸部）である。カメラグリップ側係合部材２４０は、撮像装置側係合部材１４０と係合可能である。２４１、２４２はそれぞれ連続した複数のギア山部とギア谷部であり、２４３は凹凸形状（第２の凹凸形状）である。凹凸形状２４３は、複数のギア山部２４１とギア谷部２４２が交互に等間隔で設けられ、カメラグリップ側係合部材２４０の外周に形成されている。また、凹凸形状２４３の内周には、内周壁が設けられている。２４４は回転止め凸部、２４５はビス座、２４６はビス座２４５の裏面に設けた凸部である。カメラグリップ側係合部材２４０は、これらの構成物品によって構成される。
【００３０】
カメラグリップ側連結部２００は、カメラグリップ側固定部材２２０及びカメラグリップ側係合部材２４０により構成される。
【００３１】
２５０は圧縮バネ（付勢部材）、２５１は一方の端がバネ形状から突出した突出部である。
【００３２】
２６０は、ビスである。カメラグリップ側連結部２００のカメラグリップ２１０に対する組み込みは、圧縮バネ２５０、カメラグリップ側固定部材２２０、カメラグリップ側係合部材２４０、ビス２６０の順に行い、ビス２６０は、ビス下穴２１３に締結される。
【００３３】
このとき、突出部２５１は、バネ突出部係り溝２１６に係合し、もう一方のバネ端は、バネ係り溝２３４に係合する。これにより、カメラグリップ側固定部材２２０を回転中心Ｏの回転中心軸方向に付勢することが可能になる。
【００３４】
また、回転止め穴２２５に、回転止め凸部２１４と回転止め凸部２４４とが係合し、カメラグリップ側連結部２００がカメラグリップ２１０に対して回転することを抑制している。
【００３５】
さらに、貫通穴２２６の周囲に設けた凹部２２７と、ビス座２４５の裏面に設けた凸部２４６とが係合する。これにより、撮像装置側連結部１００と同様に、カメラグリップ側係合部材２４０に回転の力が加わっても、回転止め凸部２１４とビス座２４５の裏面に設けた凸部２４６との複数個所でカメラグリップ側固定部材２２０に接するため、回転の力が分散される。結果として、カメラグリップ側係合部材２４０の変形を防ぎ、また、カメラグリップ側固定部材２２０に対してカメラグリップ側係合部材２４０が回転することを抑制することが可能となる。
【００３６】
ここで、撮像装置側連結部１００と同様に、ネジ径が大きいほど撮像装置１１０に対するカメラグリップ２１０の締結力が高まるので、雌ネジ部２２１の径は大きいほど望ましい。径を大きくすることで生まれるカメラグリップ側連結部２００の内部の空間には、電気通信用ピンプラグ２１１が設けられている。
【００３７】
電気通信用ピンプラグ２１１は、ケーブル２１２の先端に設けているため、カメラグリップ２１０の外装に衝撃が加わっても、ケーブル２１２が緩衝材として働き、電気通信用ピンプラグ２１１まで衝撃が伝わりづらい。これにより、衝撃によって電気通信用ピンプラグ２１１が抜ける事態を回避することが可能になる。さらに、連結構造の内部にケーブル２１２があることで、ケーブル２１２がユーザの操作を阻害することが無くなる。
【００３８】
カメラグリップ側連結部２００をカメラグリップ２１０に締結する４本のビス２６０は、図２中のカメラグリップの長手方向Ｚに対して、カメラグリップ側連結部２００の回転中心Ｏから同一距離に２本ずつ設ける。一定の荷重がビス２６０の締結方向に沿ってカメラグリップ２１０に働くとき、締結されたビス２６０への応力集中が最も大きいのは、回転中心Ｏから最も距離の遠い位置、つまりカメラグリップの長手方向Ｚの先端部に荷重を与えたときである。すなわち、上記のようにビス２６０を配接することで、２つのビスに力を分散し、ビス２６０への応力集中を緩和することが可能となる。
【００３９】
図５は、実施例の撮像装置１１０にカメラグリップ２１０が取り付けられていく様子を順次示した連結構造の断面図である。
【００４０】
図５（ａ）は、撮像装置１１０とカメラグリップ２１０が離れている初期状態を示す。
【００４１】
図５（ｂ）は、撮像装置１１０とカメラグリップ２１０が離れている状態で、電気通信用ピンプラグ２１１が電気通信用ピンジャック１１１と接合している状態を示す。ケーブル２１２はカメラグリップ２１０に対して伸縮自在であるため、撮像装置１１０とカメラグリップ２１０が離れている状態での接合が可能である。
【００４２】
図２に示すように、カメラグリップ２１０は撮像装置１１０に対して回転可能であるため、回転中心Ｏにピン型の電気通信用接点を設ける。これにより、電気通信用ピンプラグ２１１がカメラグリップ２１０の回転に追従して動きやすくなるため、ストレスがかかって電気通信用ピンプラグ２１１が抜けることを防止することが可能になる。
【００４３】
なお、本実施例ではピンプラグとピンジャックを用いて電気通信を行っている。ピンプラグとピンジャックによる結合であれば、ピンジャックに対するピンプラグの回転を許容する。ピンプラグとピンジャックによる結合に代えて、連結部の内部の空間を使って、スプリングコネクタを用いて電気通信を行ってもよい。また、光通信・電波通信を用いた非接触通信を行ってもよい。
【００４４】
図５（ｃ）は、撮像装置側係合部材１４０の凹凸形状１４３とカメラグリップ側係合部材２４０の凹凸形状２４３とが係合し始める状態を示す。
【００４５】
本実施例では、ギア山部１４１とギア谷部２４２、ギア山部２４１とギア谷部１４２がそれぞれ係合するように凹凸形状１４３と凹凸形状２４３が係合される。凹凸形状１４３と凹凸形状２４３とを係合させることで、凹凸形状１４３と凹凸形状２４３との間に発生する回転力を広い面積で受けることができる。したがって、カメラグリップ２１０の、回転中心Ｏに対する回転方向の力は広い面積で受けることができる。これによって、カメラグリップ２１０は撮像装置１１０に対して回動しない。
【００４６】
本実施例では、各ギア山部が各ギア谷部に噛合しない、つまりギア山部同士が当接しているときは、カメラグリップ２１０は図５（ｃ）の位置よりも撮像装置１１０側へ移動できず、雄ネジ部１２１と雌ネジ部２３１とが螺合することは不可能な構成となっている。
【００４７】
ギア山部同士が接触したまま、雄ネジ部１２１と雌ネジ部２２１が螺合され、カメラグリップが固定された状態で、回転中心Ｏに対して回転方向の力が加わり各ギア山部と各ギア谷部が噛合した場合を仮定する。このとき、各ギア山部と各ギア谷部との差分の距離Ｌだけカメラグリップ２１０が撮像装置１１０に対して動いてしまう。本実施例では、こういった問題を防ぐために、雄ネジ部１２１と雌ネジ部２２１が螺合する前に、ギア山部１４１とギア谷部２４２、ギア山部２４１とギア谷部１４２がそれぞれ噛合し始める。ギア山部１４１およびギア山部２４１が略三角形状となっているので、ギア山部同士が当接する状態となっても、雌ネジ部２２１を回転させる際に、ギア山部２４１はギア谷部１４２に引き込まれる。
【００４８】
また、撮像装置側係合部材１４０の凹凸形状１４３とカメラグリップ側係合部材２４０の凹凸形状２４３は、それぞれ１５°毎にギア山部を有しているため、２４箇所の回転角度でカメラグリップの固定が可能である。
【００４９】
なお、任意の角度でギア山部を配設することで、カメラグリップの固定できる角度と箇所とを変更することが可能となる。また、凹凸形状の数が増えることで、凹凸形状１４３と凹凸形状２４３の係合面積が増え、より大きな力を受けることが可能となる。
【００５０】
図５（ｄ）は、撮像装置側係合部材１４０の凹凸形状１４３とカメラグリップ側係合部材２４０の凹凸形状２４３とが係合し、カメラグリップ側固定部材２２０がカメラグリップ２１０側に付勢されている状態を示す。
【００５１】
本来、雄ネジ部１２１と雌ネジ部２２１とを螺合するためには、カメラグリップ側固定部材２２０を撮像装置１１０側に押し付けながら回転する必要がある。しかし、本実施例では、カメラグリップ側固定部材２２０が、圧縮バネ２５０により撮像装置１１０側に付勢されているため、カメラグリップ側固定部材２２０の指係り部２２２に回転の力のみを加えることで螺合が可能となる。
【００５２】
図５（ｅ）は、雄ネジ部１２１と雌ネジ部２２１が螺合し、撮像装置１１０とカメラグリップ２１０が固定されている状態を示す。
【００５３】
雄ネジ部１２１と雌ネジ部２２１が螺合することで、撮像装置側固定部材１２０のカメラグリップ側固定部材との接触面１２５と、カメラグリップ側固定部材２２０の撮像装置側固定部材との接触面２２８とが、接触する。これらの接触面を介して、撮像装置１１０とカメラグリップ２１０が固定されている。
【００５４】
このとき、本実施例では、図５（ｃ）で説明したように各ギア山部と各ギア谷部がそれぞれ係合されているため、回転中心Ｏに対して回転方向の力が加わったとしてもカメラグリップ２１０が撮像装置１１０に対して回動しない。
【００５５】
なお、本実施例では、一条ネジを用いているが、カメラグリップ側固定部材２２０を少ない回転数で取り付けるために、ネジ送り量の大きい多条ネジを用いても良い。
【００５６】
以上、本発明の好ましい実施形態について説明したが、本発明はこれらの実施形態に限定されず、その要旨の範囲内で種々の変形及び変更が可能である。
【符号の説明】
【００５７】
１００  撮像装置側連結部
１１０  撮像装置
１２０  撮像装置側固定部材
１４０  撮像装置側係合部材
１４３  凹凸形状
２００  カメラグリップ側連結部
２１０  カメラグリップ
２２０  カメラグリップ側固定部材
２４０  カメラグリップ側係合部材
２４３  凹凸形状
【図１】
0005917087.tif 000002
【図２】
0005917087.tif 000003
【図３】
0005917087.tif 000004
【図４】
0005917087.tif 000005
【図５】
0005917087.tif 000006